(57)【要約】  本発明は、オーディオビジュアル情報のストリーム（２００）を受け取り表示するための方法及び装置（１１０）に関する。オーディオビジュアル情報のストリーム（２００）の表示中、この表示は、アプリケーション（２２０）によって割り込みをかけられ得る。このことは、ユーザがオーディオビジュアル情報（２００）の一部を見逃す原因となる。従って、アプリケーション（２２０）時にオーディオビジュアル情報（２００）を記憶し、割り込み後、ユーザに見逃したコンテント（２０２）を提示することが提案される。この記憶は、アプリケーション（２２０）の開始によって自動的にトリガされる。しかし、このことは、オーディオビジュアル情報（２００）の表示における遅延を生じる。ユーザは、オーディオビジュアル情報の表示されたストリーム（２１０）を、受け取られたオーディオビジュアル情報（２００）に追いつかせる可能性を提供される。この追いつきは、アプリケーション（２２０）の終了によってトリガされ、自動的に実施され得る。
2005513878.tif 000002
【特許請求の範囲】
【請求項１】
表示中に割り込みポイントにおいて割り込みをかけられるオーディオビジュアル情報の受信されたストリームを表示する方法であって、前記割り込みの終了後、前記オーディオビジュアル情報の前記ストリームの前記表示が、前記割り込みポイントから再開される方法であって、
前記オーディオビジュアル情報の前記ストリームの前記表示を再開した後、前記オーディオビジュアル情報の前記ストリームは、前記オーディオビジュアル情報の前記表示されたストリームが前記オーディオビジュアル情報の前記受信されたストリームと同期する同期ポイントと呼ばれるポイントまで加速されたレートにて表示されることを特徴とする方法。
【請求項２】
前記オーディオビジュアル情報の前記ストリームの前記加速された表示が、自動的に行われることを特徴とする、請求項１に記載の方法。
【請求項３】
前記加速された表示中、前記表示の速さが、前記オーディオビジュアル情報の前記ストリームの情報密度によって決定されることを特徴とする、請求項１に記載の方法。
【請求項４】
前記オーディオビジュアル情報の前記ストリームが、連続的なフレームから構成される、請求項１に記載の方法であって、前記加速された表示がキーフレームのみを表示することによって行われることを特徴とする方法。
【請求項５】
前記オーディオビジュアル情報の前記ストリームの送信前、適時に、前記キーフレームが、前記オーディオビジュアル情報の前記ストリームにおいてマークをつけられることを特徴とする、請求項４に記載の方法。
【請求項６】
前記キーフレームが、前記オーディオビジュアル情報の前記ストリームにおいて前記情報密度に基づいて選択されることを特徴とする、請求項４に記載の方法。
【請求項７】
前記オーディオビジュアル情報の前記ストリームが、前記割り込みポイントからメモリに記憶される、請求項４に記載の方法であって、前記キーフレームのみが前記メモリに記憶されることを特徴とする方法。
【請求項８】
前記同期ポイントが、ユーザによって調整されることを特徴とする、請求項１に記載の方法。
【請求項９】
オーディオビジュアル情報のストリームを受信し、前記ストリームを表示装置上に表示するように適応化されると共に、更に、前記オーディオビジュアル情報の前記ストリームの表示中に割り込みポイントにおいて前記表示に割り込みをかけ、前記割り込みの終了後、前記割り込みポイントから前記オーディオビジュアル情報の前記ストリームの前記表示を再開するように適応化される装置であって、
前記オーディオビジュアル情報の前記ストリームの前記表示を再開した後、更に、前記オーディオビジュアル情報の前記ストリームの前記表示が前記オーディオビジュアル情報の前記ストリームの前記受信と同期する同期ポイントと呼ばれるポイントまで、前記オーディオビジュアル情報の前記ストリームを、加速されたレートにて表示するように適応化されることを特徴とする装置。
【発明の詳細な説明】
【技術分野】
【０００１】
本発明は、表示中に割り込みポイントにおいて割り込みをかけられるオーディオビジュアル（音響映像）情報の受信されたストリームを表示する方法であって、割り込みの終了後、オーディオビジュアル情報のストリームの表示が、割り込みポイントから再開される方法に関する。
【背景技術】
【０００２】
このような方法の実施形態は、国際特許出願公開第ＷＯ０１／２２７２９Ａ１号公報から知られている。国際特許出願公開第ＷＯ０１／２２７２９Ａ１号公報は、オーディオビジュアル情報のストリームを表示する方法を開示する。オーディオビジュアル情報のストリームの表示は、メニューのような対話型（interactive，インタラクティブ）アプリケーションによって割り込みをかけられることができる。そのような場合、オーディオビジュアル情報のストリームが割り込みをかけられる割り込みポイントが記憶される。この対話型アプリケーションの後、オーディオビジュアル情報のストリームが、割り込みポイントから表示される。  
【発明の開示】
【発明が解決しようとする課題】
【０００３】
国際特許出願公開第ＷＯ０１／２２７２９Ａ１号公報に説明される方法は、プログラムマテリアルの表示が、対話の持続時間に等しい時間のユニットをもって、プログラムマテリアルの送信を遅れて追いかけるという欠点を有する。
【０００４】
更に、本発明は、オーディオビジュアル情報のストリームを受信し、このストリームを表示装置上に表示するように適応化されると共に、更に、オーディオビジュアル情報のストリームの表示中に割り込みポイントにおいて表示に割り込みをかけ、この割り込みの終了後、割り込みポイントからオーディオビジュアル情報のストリームの表示を再開するように適応化される装置にも関する。
【０００５】
本発明の目的は、従来技術の欠点を軽減することにある。
【課題を解決するための手段】
【０００６】
この目的は、オーディオビジュアル情報のストリームの表示を再開した後、オーディオビジュアル情報のストリームは、オーディオビジュアル情報の表示されたストリームがオーディオビジュアル情報の受信されたストリームと同期する同期ポイントと呼ばれるポイントまで加速されたレートにて表示されることを特徴とする、本発明による方法によって達成される。
【０００７】
この方法は、プログラムが見る人にオーディオビジュアル情報のストリームの送信に関して迅速な対話を実施することを期待する場合、オーディオビジュアル情報の表示において同期ポイント後のバックログが無いので、ユーザがオーディオビジュアル情報のストリームにおけるイベントに対して可能な限り敏速に対応することを可能にするという利点を有する。
【０００８】
オーディオビジュアル情報のストリームが連続的なフレームから構成される、本発明による方法の一実施形態は、加速された表示がキーフレームのみを表示することによって行われ、そのようなキーフレームが、キーフレームの近傍におけるオーディオビジュアル情報のストリームの情報密度に基づいて選択されることを特徴とする。
【０００９】
この実施形態は、多くの情報を有するオーディオビジュアル情報のストリームのセグメントが、相対的により少ない情報を有するオーディオビジュアル情報のストリームのセグメントよりも広範なやり方においてユーザに対して表示されることができるという利点を有する。
【００１０】
本発明による装置は、オーディオビジュアル情報のストリームの表示を再開した後、更に、オーディオビジュアル情報のストリームの表示がオーディオビジュアル情報のストリームの受信と同期する同期ポイントと呼ばれるポイントまで、オーディオビジュアル情報のストリームを、加速されたレートにて表示するように適応化されることを特徴とする。
【００１１】
本発明のこれら及び他の態様は、本明細書の以下に説明される実施形態から明らかになり、これらの実施形態を参照して明瞭に説明されるであろう。
【発明を実施するための最良の形態】
【００１２】
図１は、本発明の一実施形態としてシステム１００を示す。このシステム１００は、オーディオビジュアル情報を受け取り表示するように適応化される。システム１００は、更に、処理ユニットによって実行され得る命令を有するアプリケーションデータを受け取り、このアプリケーションを実行するように適応化される。このアプリケーションは、対話型アプリケーションであり得る。システム１００は、装置１１０、表示装置１０２及び操作パネル１０４を有している。
【００１３】
装置１１０は、処理ユニット１１１、第１のメモリ１１２、レシーバ１１３及び第２のメモリ１１４を有している。この装置は、セットトップボックスであってもよいが、オーディオビジュアル情報を伝えるため及び／又は表示するための専用の装置の別のタイプであってもよい。本発明の他の実施形態において、装置１１０はパーソナルコンピュータである。これは本発明の範囲から逸脱するものではない。
【００１４】
レシーバ１１３は、入力信号１１５を受け取るように適応化される。入力信号１１５は、オーディオビジュアル情報の少なくとも１つのストリームを含む。他の実施形態では、処理ユニット１１１により実行され得る命令の形でアプリケーションが更に送信され得るように、入力信号１１５は、オーディオビジュアル情報のストリームに加えて、ＭＨＰ規格に従うデータストリームを含む。本発明の他の実施形態では、入力信号１１５は、高周波信号上のオーディオビジュアル情報の少なくとも１つのストリームがスーパーインポーズされる該高周波信号である。
【００１５】
好ましい実施形態では、入力信号１１５はＤＶＢ規格に従う信号である。他の実施形態では、入力信号１１５は、例えばＴＣＰ／ＩＰ規格に従うデータストリームであり得る。
【００１６】
入力信号１１５が、高周波信号上のオーディオビジュアル情報のストリームがスーパーインポーズされる該高周波信号である場合、レシーバ１１３は、更に、入力信号１１５を復調し、入力信号１１５からオーディオビジュアル情報のストリームを抜き出すように適応化される。他の実施形態では、レシーバ１１３はそれ自体が知られているチューナである。入力信号１１５が、オーディオビジュアル情報のストリーム及びデータストリームを含む場合、レシーバ１１３は、更に、データストリームとオーディオビジュアル情報のストリームとを分けるように適応化される。
【００１７】
図示される実施形態では、レシーバ１１３は、オーディオビジュアル情報のストリーム及びデータストリームを処理ユニット１１１へ伝える。処理ユニット１１１は、オーディオビジュアル情報を表示するために、オーディオビジュアル情報のストリームを表示装置１０２へ伝えるように適応化される。図示される実施形態における処理ユニット１１１は、更に、第１のメモリ１１２にオーディオビジュアル情報のストリームを記憶するように適応化される。本発明の提示された実施形態では、第１のメモリ１１２は、ハードディスク駆動システムである。しかし、当業者であれば、第１のメモリが、光磁気(opto-magnetic)ディスク、フラッシュメモリのようなソリッドステートメモリ、又は他の大容量記憶装置であってもよいことを理解するであろう。処理ユニットは、更に、第１のメモリ１１２に記憶されたオーディオビジュアル情報のストリームを読み取り、このストリームが表示装置１０２上に表示され得るように、上記ストリームを表示装置１０２へ伝えるように適応化される。このことは、ユーザが操作パネル１０４によって表示の異なる態様を確認することを可能にする。上記の態様は、例えば、早送り、巻戻し又は一時停止のようなトリックプレイモードであり得る。こうした操作はそれ自体が知られている。
【００１８】
提示された実施形態では、上記のデータストリームは、更に、第１のメモリ１１２に記憶される。
【００１９】
処理ユニット１１１は、更に、上記データストリームに含まれるアプリケーションを実行するように適応化される。関連する画像及び音声が、表示装置１０２上に表示され得る。対話型アプリケーションが関係するならば、システム１００のユーザは、操作パネル１０４によって装置１１０に入力することができる。ユーザが、後の段階においてアプリケーションで用いられる情報を入力する場合、この情報は、この実施形態において第２のメモリ１１４に記憶される。この第２のメモリは、好ましくは、ＳＲＡＭ又はＤＲＡＭのような高速アクセス可能なメモリである。
【００２０】
上記に既述されたように、関連したアプリケーションについて処理ユニットによって実行され得る命令を有するデータストリーム及びオーディオビジュアル情報のストリームは、更に、入力信号１１５と一緒に送信される。本発明のこの実施形態では、オーディオビジュアル情報のストリームは、アプリケーションによって割り込みをかけられる。これらのアプリケーションは、所与の時点(instant，インスタント)においてアプリケーション自体を開始することができるが、アプリケーションの開始は、オーディオビジュアル情報のストリームにおける情報によってトリガされることもできる。他の実施形態では、ユーザが、予め定められた時間制限以内にアプリケーションが実行されるべきでないというシグナルを装置１１０へ与えない場合、表示装置１０２は、アプリケーションを開始するためのメッセージを示す。このことは、操作パネル１０４によって行われる。本発明の好ましい実施形態では、これらのアプリケーションは、ＭＨＰ規格に従うオーディオビジュアル情報と一緒に送り出され、好ましい実施形態ではＤＶＢ形式において制御される。
【００２１】
オーディオビジュアル情報のストリームが、アプリケーションによって割り込みをかけられる場合、ユーザは、オーディオビジュアル情報のストリームの一部を見逃す。第１のメモリ１１２にオーディオビジュアル情報のストリームを記憶することによって、オーディオビジュアル情報のストリームの読み取り及び表示装置１０２上の上記ストリームの表示は、アプリケーションが開始される場合、停止されることができる。オーディオビジュアル情報のストリームの読み取り及び表示は、その後、アプリケーションが終了したとき再開される。
【００２２】
しかし、オーディオビジュアル情報のストリームが第１のメモリ１１２において利用可能ではなく、レシーバ１１３から表示装置１０２まで処理ユニット１１１により直接的に伝えられる場合、上記の可能性は存在しない。この課題に対処する解決策は、この場合、図２を参照して示される。図２は、オーディオビジュアル情報の受信されたストリーム２００、オーディオビジュアル情報の表示されたストリーム２１０、アプリケーション２２０及びタイムスケール２５０を示す。
【００２３】
本発明の提示された実施形態では、上記の課題は、第１の時点２５２におけるアプリケーションによるオーディオビジュアル情報の表示されたストリーム２１０の表示の割り込み時から、第１のメモリ１１２にオーディオビジュアル情報の受信されたストリーム２００を記憶することによって解決される。第２の時点２５３におけるアプリケーションの終了後、オーディオビジュアル情報の上記ストリーム２１０の表示が再開される。第１の時点２５２から記憶されたオーディオビジュアル情報の受信されたストリーム２００の一部は、表示装置１０２上に表示される。本発明によれば、オーディオビジュアル情報のストリームの記憶された部分２０２は、オーディオビジュアル情報の表示されたストリーム２１０がオーディオビジュアル情報の受信されたストリーム２００と再び同期するまで、第２の時点２５３の後、加速されたレートにて表示される。オーディオビジュアル情報の表示されたストリーム２１０とオーディオビジュアル情報の受信されたストリーム２００とが互いに同期するポイントは、同期ポイント２５４として図２に示される。
【００２４】
本発明の好ましい実施形態では、同期期間の持続時間２６０が固定である。記憶された部分２０２を標準再生モードにおいて再生するのに必要とされる時間と、予め定められた同期期間との間の比率は、同期期間２６０における記憶された部分２０２の再生の速さを規定する。本発明の他の実施形態では、記憶された部分２０２を標準再生モードにおいて再生するのにかかる時間と、同期期間との間の比率のみがあらかじめ決定される。このように同期期間２６０が決定される。他の実施形態は、ユーザがユーザ自身の好みの同期期間を決定することを可能にする。
【００２５】
本発明の好ましい実施形態では、同期プロセスが、割り込みの終了後、自動的に続行する。このことは、アプリケーションの終了後、同期ポイント２５４まで、オーディオビジュアル情報の記憶されたストリーム２０２の加速された表示が自動的に開始されることを意味する。本発明の他の実施形態では、このことは自動的に行われず、ユーザは、操作パネル１０４上のボタンによって、オーディオビジュアル情報の表示されたストリームを、オーディオビジュアル情報の受信されたストリームと同期させることを可能にされる。
【００２６】
本発明の好ましい実施形態では、記憶された部分２０２が、同期期間２６０の間、一定の速さにおいて表示装置１０２上に表示される。本発明の他の実施形態において、記憶された部分２０２の表示の速さは、この記憶された部分の一部の情報密度によって決定される。記憶された部分２０２のあるセグメントが多くの情報を有する場合、このセグメントは、ほとんど情報を有していない記憶された部分２０２のセグメントより遅い速さで表示される。例えば、２人の人間同士の会話は多くの情報を有し、５分間かかる景色の印象は一般にほとんど情報を有していない。記憶された部分２０２における情報に基づいて、処理ユニット１１１は、その後、同期プロセス中に表示されるキーフレームの数を規定する。相対的に大きい数のキーフレームは多くの情報を有するセグメントから選択され、相対的に小さい数のキーフレームはほとんど情報をもたないセグメントから選択される。同期プロセス中にキーフレームのみが続いて表示される。
【００２７】
他の実施形態では、キーフレームは、コンテントプロバイダによって送信時に又はあらかじめ割り当てられる。さらに他の実施形態では、記憶された部分２０２は、キーフレームのみから構成される。これは、第１のメモリ１１２においてより小さいスペースが必要とされるという利点を有する。
【００２８】
本発明の説明された実施形態において、記憶された部分２０２は、装置１１０において第１のメモリ１１２に局所的に記憶される。ただし、コンテントプロバイダによる第３のメモリ（図示略）に記憶された部分２０２を記憶することも可能である。表示装置１０２上に表示する目的で、同期期間２６０の間、キーフレームのみが、入力信号１１５を介してシステム１００に提示される。
【００２９】
ＭＨＰ規格に従うアプリケーションは、本発明の表示された実施形態に関して割り込みとして記述されている。当業者であれば、これは代替例として異なるアプリケーションであってもよいことは明らかであろう。本発明の他の実施形態では、入力信号が、ＰＡＬ又はＮＴＳＣ規格に従う標準アナログ高周波信号であり、アプリケーションについて処理ユニットによって実行され得る命令を有するデータは、装置１１０の製造時から第２のメモリ１１４において既に利用可能である。このような第２のメモリは、この実施形態において、バッテリバックアップされた(battery-backed)ＳＲＡＭ又はＥＥＰＲＯＭメモリのような不揮発性の性質をもつ。割り込みは、ユーザが操作パネル１０４を介して装置１１０に対してコマンドを与えることによって、生成されることも可能である。
【００３０】
要約すると、本発明は、オーディオビジュアル情報のストリーム（２００）を受け取り表示するための方法及び装置（１１０）に関する。オーディオビジュアル情報のストリーム（２００）の表示中、この表示は、アプリケーション（２２０）によって割り込みをかけられ得る。このことは、ユーザがオーディオビジュアル情報（２００）の一部を見逃す原因となる。従って、アプリケーション（２２０）時にオーディオビジュアル情報（２００）を記憶し、割り込み後、ユーザに見逃したコンテント（２０２）を提示することが提案される。この記憶は、アプリケーション（２２０）の開始によって自動的にトリガされる。しかし、このことは、オーディオビジュアル情報（２００）の表示における遅延を生じる。ユーザは、オーディオビジュアル情報の表示されたストリーム（２１０）を、受け取られたオーディオビジュアル情報（２００）に追いつかせる可能性を提供される。この追いつき（catch-up，遅れの取り戻し）は、アプリケーション（２２０）の終了によってトリガされ、自動的に実施され得る。
【図面の簡単な説明】
【００３１】
【図１】本発明による装置の実施形態を示す図である。
【図２】本発明による方法の実施形態の説明をサポートするための説明図である。
【図１】
2005513878.tif 000003
【図２】
2005513878.tif 000004
【国際調査報告】
2005513878.tif 000005
2005513878.tif 000006
2005513878.tif 000007